(57)【特許請求の範囲】
【請求項１】
車両に搭載され、エンジンによって駆動されるオイルポンプと、前記オイルポンプが発生する油圧によってベルトを挟持すると共に溝幅を変更可能な一対のプーリとを備えたベルト無段変速機であって、
変速比を最Ｌｏｗ変速比まで戻さなくても発進性能を確保できる勾配の登坂路で車両が停車した場合は、停車状態で前記エンジンのアイドルアップを行って前記ベルトの挟持力を高めるとともに変速比が最Ｌｏｗ変速比よりもＨｉｇｈ側の目標変速比まで戻るよう前記一対のプーリの溝幅を変更し、変速比が前記目標変速比まで戻ったら前記アイドルアップを終了する制御手段を備えた、
ことを特徴とするベルト無段変速機。
【請求項２】
請求項１に記載のベルト無段変速機であって、
前記目標変速比は、前記登坂路の傾斜が緩やかであるほどＨｉｇｈ側の変速比である、
ことを特徴とするベルト無段変速機。
【請求項３】
請求項１又は２に記載のベルト無段変速機であって、
前記エンジンのアイドルアップ量は、前記登坂路の勾配が緩やかであるほど小さい、
ことを特徴とするベルト無段変速機。
【請求項４】
請求項１から３のいずれかに記載のベルト無段変速機であって、
発進性能を確保するには変速比を最Ｌｏｗ変速比まで戻す必要がある勾配の登坂路で車両が停車した場合は、前記制御手段は、前記エンジンのアイドルアップを行って前記ベルトの挟持力を高めるとともに変速比が最Ｌｏｗ変速比まで戻るよう前記一対のプーリの溝幅を変更する、
ことを特徴とするベルト無段変速機。
【請求項５】
車両に搭載され、エンジンによって駆動されるオイルポンプと、前記オイルポンプが発生する油圧によってベルトを挟持すると共に溝幅を変更可能な一対のプーリとを備えたベルト無段変速機の制御方法であって、
変速比を最Ｌｏｗ変速比まで戻さなくても発進性能を確保できる勾配の登坂路で車両が停車した場合は、停車状態で前記エンジンのアイドルアップを行って前記ベルトの挟持力を高めるとともに変速比が最Ｌｏｗ変速比よりもＨｉｇｈ側の目標変速比まで戻るよう前記一対のプーリの溝幅を変更し、
変速比が前記目標変速比まで戻ったら前記アイドルアップを終了する、
ことを特徴とするベルト無段変速機の制御方法。
【発明の詳細な説明】
【技術分野】
【０００１】
本発明は、車両用のベルト無段変速機（ＣＶＴ）に関し、特に、ＣＶＴを搭載した車両の発進性能を向上させるための技術に関する。
【背景技術】
【０００２】
ＣＶＴを搭載した車両においては、車両が減速して停車するまでの間にＣＶＴの変速比が最Ｌｏｗ変速比（最大変速比）まで戻されるようＣＶＴを制御している。これにより、ＣＶＴの変速比が最Ｌｏｗ変速比になっている状態で車両が発進するようにし、車両の発進性能を確保している。
【０００３】
しかしながら、ＣＶＴの変速比は油圧でプーリの溝幅を変更することで変更されるので、車両の減速が急であると変速比が最Ｌｏｗ変速比まで戻る前に車両が停車してしまう場合がある。そのような場合は最Ｌｏｗ変速比よりもＨｉｇｈ側の変速比で車両が発進することになり、発進性能が確保できない場合がある。
【０００４】
そこで、特許文献１では、ＣＶＴの変速比が最Ｌｏｗ変速比に戻るまでに車両が停車してしまった場合に、ＣＶＴに供給される油圧を制御してプーリの溝幅を変更してベルトをプーリの径方向に変位（縦滑り）させることによって、停車状態でＣＶＴの変速比を強制的に最Ｌｏｗ変速比まで戻すようにしている（縦滑り制御）。
【０００５】
さらに、登坂路から発進する場合には、ＣＶＴの変速比を最Ｌｏｗ変速比に戻すことに加えて、プーリによるベルトの挟持力を増大し、発進時にベルトが滑って車両がずり下がらないようにする必要がある。
【０００６】
この点に関しては、特許文献２に、登坂路においてベルトの挟持力を通常のベルト挟持力よりも増大する技術が開示されている。ベルトの挟持力を増大するためにはプーリに供給する油圧を高める必要があり、燃費を悪化させる原因になるが、特許文献２では、ベルトの挟持力を増大する状況を限定することにより、燃費の悪化を抑えている。
【先行技術文献】
【特許文献】
【０００７】
【特許文献１】特開２００９−２８７７２７号公報
【特許文献２】特開２００８−１４３６２号公報
【発明の概要】
【発明が解決しようとする課題】
【０００８】
特許文献１、２に開示される技術を組み合わせれば、ＣＶＴの変速比が最Ｌｏｗ変速比まで戻る前に車両が登坂路で停車してしまった場合に、上記縦滑り制御が行われるとともにベルトの挟持力が増大されるので、発進性能を確保しつつ車両のずり下がりを防止することができる。
【０００９】
しかしながら、上記縦滑り制御は、ベルトを保護するために、アクセルオフのアイドリング状態で行われる。近年、燃費の向上を目的としてアイドリング回転速度を低下させる傾向にあり、アイドリング状態ではエンジンによって駆動されるオイルポンプの吐出圧が低いため、上記縦滑り制御及びベルトの挟持力の増大を行うための十分な油圧を確保するのが難しい。
【００１０】
本発明は、このような技術的課題に鑑みてなされたもので、登坂路における発進性能を確保しつつ車両のずり下がりを防止できるＣＶＴを提供することを目的とする。
【課題を解決するための手段】
【００１１】
本発明のある態様によれば、車両に搭載され、エンジンによって駆動されるオイルポンプと、前記オイルポンプが発生する油圧によってベルトを挟持すると共に溝幅を変更可能な一対のプーリとを備えたベルト無段変速機であって、変速比を最Ｌｏｗ変速比まで戻さなくても発進性能を確保できる勾配の登坂路で車両が停車した場合は、停車状態で前記エンジンのアイドルアップを行って前記ベルトの挟持力を高めるとともに変速比が最Ｌｏｗ変速比よりもＨｉｇｈ側の目標変速比まで戻るよう前記一対のプーリの溝幅を変更し、変速比が前記目標変速比まで戻ったら前記アイドルアップを終了する制御手段を備えた、ことを特徴とするベルト無段変速機が提供される。
【００１２】
また、別の態様によれば、これに対応する無段変速機の制御方法が提供される。
【発明の効果】
【００１３】
これらの態様によれば、変速比を最Ｌｏｗ変速比まで戻さなくても発進性能を確保できる勾配（中勾配）の登坂路で車両が停車した場合は、エンジンのアイドルアップが行われ、ベルトの挟持力の増大及び変速比を最Ｌｏｗ変速比よりもＨｉｇｈ側の目標変速比まで戻すのに必要な油圧が確保される。
【００１４】
これにより、アクセルペダルが踏み込まれていないアイドル状態であっても、ベルトの挟持力を増大するとともに変速比を目標変速比まで戻すことができ、その後にアクセルペダルが踏み込まれて車両を発進させる場合には、発進性能を確保するとともに、ベルトが滑って車両がずり下がるのを防止することができる。
【００１５】
また、アイドルアップは変速比が目標変速比まで戻されると終了し、変速比を最Ｌｏｗ変速比まで戻す場合と比較してアイドルアップが行われる時間が短くなるので（∵変速比の戻し量が小さくなる）、アイドルアップが運転者に与える違和感、燃費に与える影響を抑えることができる。
【図面の簡単な説明】
【００１６】
【図１】本発明の実施形態に係る無段変速機を搭載した車両の概略構成図である。
【図２】変速機コントローラの処理内容を示したフローチャートである。
【図３】図２に示した処理のサブルーチン（中勾配制御）の内容を示したフローチャートである。
【図４】目標変速比を演算するためのテーブルである。
【図５】必要ベルト挟持力を演算するためのテーブルである。
【図６】アイドルアップ量を演算するためのテーブルである。
【図７】図２に示した処理のサブルーチン（急勾配制御）の内容を示したフローチャートである。
【発明を実施するための形態】
【００１７】
以下、添付図面を参照しながら本発明の実施形態について説明する。なお、以下の説明において、「変速比」は、変速機の入力回転速度を変速機の出力回転速度で割って得られる値である。また、「最Ｌｏｗ変速比」は変速機の最大変速比である。
【００１８】
図１は本発明の実施形態に係る無段変速機を搭載した車両の概略構成を示している。この車両は動力源としてエンジン１を備える。エンジン１の出力回転は、トルクコンバータ２、第１ギヤ列３、変速ユニット４、第２ギヤ列５、差動装置６を介して駆動輪７へと伝達される。第２ギヤ列５には駐車時に変速ユニット４の出力軸を機械的に回転不能にロックするパーキング機構８が設けられている。
【００１９】
エンジン１は、ガソリンエンジン、ディーゼルエンジン等の内燃機関であり、エンジンコントローラ５０によって回転速度及びトルクが制御される。
【００２０】
トルクコンバータ２は、ロックアップクラッチ２ａを備える。ロックアップクラッチ２ａが締結されると、トルクコンバータ２における滑りがなくなり、トルクコンバータ２の伝達効率を向上させることができる。
【００２１】
また、車両には、エンジン１の動力の一部を利用して駆動されるオイルポンプ１０と、オイルポンプ１０からの油圧を調整して変速ユニット４の各部位に供給する油圧制御回路１１と、油圧制御回路１１を制御する変速機コントローラ１２とが設けられている。
【００２２】
変速ユニット４は、無段変速機（ＣＶＴ）２０と、ＣＶＴ２０に対して直列に設けられる副変速機３０とを備えた変速機である。「直列に設けられる」とはエンジン１から駆動輪７に至るまでの動力伝達経路においてＣＶＴ２０と副変速機３０とが直列に設けられるという意味である。
【００２３】
ＣＶＴ２０は、プライマリプーリ２１と、セカンダリプーリ２２と、プーリ２１、２２の間に掛け回されるベルト２３とを備える。プーリ２１、２２は、それぞれ固定円錐板と、この固定円錐板に対してシーブ面を対向させた状態で配置され固定円錐板との間にＶ溝を形成する可動円錐板と、この可動円錐板の背面に設けられて可動円錐板を軸方向に変位させる油圧シリンダとを備える。
【００２４】
プーリ２１、２２に供給される油圧（プライマリ圧及びセカンダリ圧）を調整すると、プーリ２１、２２がベルト２３を挟持する力が変化してＣＶＴ２０のトルク容量（伝達可能な最大トルク）が変化し、また、Ｖ溝の幅が変化してベルト２３と各プーリ２１、２２との接触半径が変化し、ＣＶＴ２０の変速比が無段階に変化する。
【００２５】
副変速機３０は前進２段・後進１段の変速機である。副変速機３０は、２つの遊星歯車のキャリアを連結したラビニョウ型遊星歯車機構３１と、ラビニョウ型遊星歯車機構３１を構成する複数の回転要素に接続され、それらの連係状態を変更する複数の摩擦要素（Ｌｏｗブレーキ３２、Ｈｉｇｈクラッチ３３、Ｒｅｖブレーキ３４）とを備える。摩擦要素３２〜３４への供給油圧を調整し、摩擦要素３２〜３４の締結状態を変更することによって、副変速機３０の変速段が変更される。
【００２６】
変速機コントローラ１２は、ＣＰＵと、ＲＡＭ・ＲＯＭからなる記憶装置と、入力インターフェースと、出力インターフェースと、これらを相互に接続するバスとから構成される。
【００２７】
変速機コントローラ１２には、入力インターフェースを介して、アクセルペダルの操作量を表すアクセル開度ＡＰＯを検出するアクセル開度センサ４１の出力信号、変速ユニット４の入力回転速度（＝プライマリプーリ２１の回転速度、以下、「プライマリ回転速度Ｎｐｒｉ」という。）を検出する回転速度センサ４２の出力信号、車速ＶＳＰを検出する車速センサ４３の出力信号、セカンダリ圧を検出する油圧センサ４４の出力信号、セレクトレバーの位置を検出するインヒビタスイッチ４５の出力信号、セカンダリプーリ２２の回転速度（＝副変速機３０の入力回転速度）を検出する回転速度センサ４６の出力信号、路面の勾配を検出する勾配センサ４７の出力信号などが入力される。勾配センサ４７としては加速度センサを用いることができる。
【００２８】
変速機コントローラ１２の記憶装置には、変速ユニット４の変速制御プログラム、この変速制御プログラムで用いる変速マップが格納されている。変速機コントローラ１２は、記憶装置に格納されている変速制御プログラムを読み出して実行し、入力インターフェースを介して入力される各種信号に対して各種演算処理を施して変速ユニット４の各部位に供給する油圧の指示値を設定し、設定した指示値を出力インターフェースを介して油圧制御回路１１に出力する。変速機コントローラ１２が演算処理で使用する各種値、その演算結果は記憶装置に適宜格納される。
【００２９】
油圧制御回路１１は複数の流路、複数の油圧制御弁で構成される。油圧制御回路１１は、変速機コントローラ１２からの指示値に基づき、複数の油圧制御弁を制御して油圧の供給経路を切り換えるとともにオイルポンプ１０で発生した油圧を元圧として指示値に応じた油圧を生成し、これを変速ユニット４の各部位に供給する。これにより、ＣＶＴ２０の変速、副変速機３０の変速段の変更、各摩擦要素３２〜３４の容量制御、ロックアップクラッチ２ａの締結・解放が行われる。
【００３０】
ところで、車両の発進性能を確保するためには、停車時にＣＶＴ２０の変速比が最Ｌｏｗ変速比になっているのが好ましい。「発進性能が確保できる」とは、平坦路においては所定の加速度以上で加速することができ、登坂路においては車両が登坂路を登ることができることを意味する。
【００３１】
このため、変速機コントローラ１２は、車両が減速して停止するまでの間にＣＶＴ２０の変速比が最Ｌｏｗ変速比まで戻るようにＣＶＴ２０を制御、具体的には、車速ＶＳＰが低くなるにつれて減速時に使用する変速線が最Ｌｏｗ変速比に近づくよう変速マップを設定し、これに従いＣＶＴ２０を制御している。
【００３２】
さらに、車両の減速が急で、ＣＶＴ２０の変速比が最Ｌｏｗ変速比まで戻るまでに車両が停車してしまった場合には、変速比コントローラ１２は、停車状態でＣＶＴ２０に供給される油圧を制御してベルト２３をプーリ２１、２２の径方向に変位させ、ＣＶＴ２０の変速比を強制的にＬｏｗ側に変更する縦滑り制御を行う。
【００３３】
また、登坂路で車両が停車した場合には、変速機コントローラ１２は、セカンダリ圧を高めてベルト２３の挟持力を増大し、ベルト２３が滑って車両がずり下がるのを防止する。
【００３４】
さらに、上記縦滑り制御とベルト２３の挟持力の増大を行うと油圧収支が不足傾向となるので、変速機コントローラ１２はエンジン１のアイドルアップ、すなわち、アイドル回転速度を冷却水温、エアコンの作動状態等によって決まる標準のアイドル回転速度よりも増大し、これに対応する。
【００３５】
図２は、車両が停車した時の変速機コントローラ１２の処理内容を示したフローチャートである。これを参照しながら車両が停車した時の変速機コントローラ１２の処理内容について説明する。
【００３６】
これによると、変速機コントローラ１２は、まず、車速センサ４３によって検出される車速ＶＳＰに基づき、車両が停車しているか判断し（Ｓ１）、インヒビタスイッチ４５によって検出されるセレクトレバーが前進位置（Ｄ、Ｌ等）にあるかを判断し（Ｓ２）、ＣＶＴ２０の変速比が最Ｌｏｗ変速比になっているか判定する（Ｓ３）。そして、車両が停車しており、セレクトレバーが前進位置にあり、かつ、ＣＶＴ２０の変速比が最Ｌｏｗ変速比になっていないと判断された場合は、処理がＳ４に進み、そうでない場合は処理が終了する。
【００３７】
Ｓ４、Ｓ５では、変速機コントローラ１２は、勾配センサ４７によって検出される路面の勾配を緩勾配判定値及び急勾配判定値と比較する。「緩勾配判定値」は、ベルト２３の挟持力を増大させなくてもベルト２３が滑ることによる車両のずり下がりが起こらない勾配の上限値であり、緩勾配判定値よりも急な勾配ではベルト２３の挟持力の増大が必要になる。「急勾配判定値」は、ＣＶＴ２０の変速比が最Ｌｏｗ変速比よりもＨｉｇｈ側の変速比であっても発進性能を確保することができる勾配の上限値であり、急勾配判定値よりも急な勾配では、発進性能を確保するためにＣＶＴ２０の変速比を最Ｌｏｗ変速比にする必要がある。
【００３８】
勾配が緩勾配判定値よりも小さい場合（平坦路又は緩勾配の場合）は処理がＳ６に進み、勾配が緩勾配判定値と急勾配判定値との間である場合（中勾配の場合）は処理がＳ７に進み、勾配が急勾配判定値よりも大きい場合（急勾配の場合）は処理がＳ８に進む。
【００３９】
処理がＳ６に進む場合は、平坦路又は緩勾配の登坂路で車両が停車した場合であるので、変速機コントローラ１２は平坦又は緩勾配用の制御を行う。
【００４０】
具体的には、変速機コントローラ１２は、プライマリ圧を下げるとともにセカンダリ圧を高めて、ベルト２３をプライマリプーリ２１及びセカンダリプーリ２２の径方向に滑らせてＣＶＴ２０の変速比を強制的に最Ｌｏｗ変速比まで変速させる縦滑り制御を行う。また、セカンダリ圧を高めるために、エンジン１のアイドルアップを行う。
【００４１】
ただし、平坦路又は緩勾配の登坂路であればベルト２３が滑って車両がずり下がることはないので、Ｓ６では、変速機コントローラ１２はベルト２３の挟持力の増大は行わない。
【００４２】
一方、処理がＳ７に進む場合は、中勾配の登坂路で車両が停車した場合である。中勾配では車両のずり下がりを防止するためにベルト２３の挟持力を増大する必要があるが、ＣＶＴ２０の変速比が最Ｌｏｗ変速比まで戻さなくても発進性能を確保することができるので、変速機コントローラ１２は、この点を踏まえて以下に説明する中勾配用の制御を行う。
【００４３】
図３は、Ｓ７で行われる中勾配用の制御の内容を示している。
【００４４】
Ｓ７１では、変速機コントローラ１２は、ＣＶＴ２０の変速比のＬｏｗ側への戻し量を演算する。このために、まず、変速機コントローラ１２は、勾配センサ４７によって検出される路面の勾配に基づき図４に示すテーブルを参照して目標変速比を設定する。目標変速比は、最Ｌｏｗ変速比よりもＨｉｇｈ側の値であり、勾配が緩やかになるほどＨｉｇｈ側の値が設定される。そして、変速機コントローラ１２は、目標変速比から現在の変速比を減じてＣＶＴ２０の変速比のＬｏｗ側への戻し量を演算する。勾配が緩やかになるほど目標変速比がＨｉｇｈ側の値になるので、勾配が緩やかになるほどＣＶＴ２０の変速比の戻し量も小さくなる。
【００４５】
Ｓ７２では、変速機コントローラ１２は、ＣＶＴ２０の変速比を目標変速比まで戻した状態で車両がずり下がらないようにするために必要なベルト２３の挟持力である必要ベルト挟持力を車重、勾配等に基づき演算する。
【００４６】
具体的には、演算を簡略化するために、図５に示すテーブルを予め用意しておき、目標変速比に基づき図５に示すテーブルを参照して必要ベルト挟持力を演算する。さらに、変速機コントローラ１２は、演算された必要ベルト挟持力をセカンダリプーリ２２の受圧面積で割って必要ベルト挟持力を実現するのに必要なセカンダリ圧である必要セカンダリ圧を演算する。
【００４７】
Ｓ７３では、変速機コントローラ１２は、必要セカンダリ圧を実現するのに必要なライン圧（プライマリ圧及びセカンダリ圧の元圧）である必要ライン圧、さらには必要ライン圧を実現するのに必要なオイルポンプ１０の吐出圧である必要オイルポンプ圧を演算し、必要オイルポンプ圧を実現するのに必要なエンジン１のアイドルアップ量、すなわち、アイドル回転速度の増大量を演算する。
【００４８】
具体的には、演算を簡略化するために、図６に示すテーブルを予め用意しておき、必要オイルポンプ圧に基づきアイドルアップ量を演算する。勾配が緩やかになるほど必要ベルト挟持力が小さくなり、必要セカンダリ圧及び必要オイルポンプ圧も小さくなることから、勾配が緩やかになるほどアイドルアップ量も小さくなる。
【００４９】
Ｓ７４では、変速機コントローラ１２は、ＣＶＴ２０の変速比を現在の変速比から目標変速比まで変化させるのに要する時間をＳ７１で演算した戻し量をＣＶＴ２０の変速速度で割って演算し、これをエンジン１のアイドルアップ時間、すなわち、アイドル回転速度を増大する時間に設定する。
【００５０】
Ｓ７５では、変速機コントローラ１２は、Ｓ７４で演算したアイドルアップ時間の間、エンジン１のアイドル回転速度を、冷却水温、エアコンの作動状態等によって決まる標準のアイドル回転速度からＳ７３で演算したアイドルアップ量だけ増大するようエンジンコントローラ５０に指令を出す。そして、この間、セカンダリ圧を目標セカンダリ圧まで高めてベルト２３の挟持力を高めるとともに、プライマリ圧をセカンダリ圧に対して相対的に下げることでＣＶＴ２０の変速比を目標変速比まで戻す。アイドルアップ時間が経過するとエンジン１のアイドルアップは終了し、この時点ではＣＶＴ２０の変速比を目標変速比まで戻されている。
【００５１】
したがって、変速比を最Ｌｏｗ変速比まで戻さなくても発進性能を確保できる中勾配の登坂路で車両が停車した場合は、エンジン１のアイドルアップが行われる。これにより、アクセルペダルが踏み込まれていないアイドル状態であっても、ベルト２３の挟持力の増大及びＣＶＴ２０の縦滑り制御に必要な油圧を確保して、ベルト２３の挟持力を増大するとともにＣＶＴ２０の縦滑り制御を実行することができる。そして、その後にアクセルペダルが踏み込まれた場合には、発進性能を確保するとともにベルト２３が滑ることによる車両のずり下がりを防止することができる（請求項１、５に対応する効果）。
【００５２】
また、エンジン１のアイドルアップは変速比が目標変速比まで戻されると終了し、変速比が最Ｌｏｗ変速比まで戻される場合と比較してエンジン１のアイドルアップが行われる時間が短くなる。アイドルアップが行われる時間が短くなることで運転者の意図しないアイドルアップが運転者に与える違和感を低減することができる。また、アイドルアップが燃費に与える影響を抑えることができる。
【００５３】
また、この効果は、勾配が緩やかになるほど目標変速比をＨｉｇｈ側に設定し、アイドルアップが行われる時間を短くなるようにしたので、勾配が緩やかになるほど顕著である（請求項２に対応する効果）。
【００５４】
また、アイドルアップ量は勾配が緩やかになるほど小さくなり、ベルト滑りを防止するのに必要な必要セカンダリ圧を実現するのに必要な分に抑えられる。これによってもアイドルアップが運転者に与える違和感及び燃費に与える影響を抑えることができる（請求項３に対応する効果）。
【００５５】
一方、処理がＳ８に進む場合は、急勾配の登坂路で車両が停車した場合である。急勾配の登坂路では、ＣＶＴ２０の変速比を最Ｌｏｗ変速比にしないと発進性能を確保できないので、変速機コントローラ１２は、この点を踏まえて急勾配用の制御を行う。
【００５６】
図７は、Ｓ８で行われる急勾配用の制御の内容を示している。
【００５７】
Ｓ８１では、変速機コントローラ１２は、目標変速比を最Ｌｏｗ変速比に設定し、最Ｌｏｗ変速比から現在の変速比を減じてＣＶＴ２０の変速比のＬｏｗ側への戻し量を演算する。Ｓ８２〜Ｓ８５の処理は、図３のＳ７２〜７５の処理と同じであるので説明を省略する。
【００５８】
したがって、発進性能を確保するには変速比を最Ｌｏｗ変速比まで戻す必要がある急勾配の登坂路で車両が停車した場合は、ＣＶＴ２０が最Ｌｏｗ変速比まで戻される。中勾配での制御と比べてエンジン１のアイドルアップ時間、アイドルアップ量がともに増加し、運転者に与える違和感及び燃費に与える影響が大きくなるが、ＣＶＴ２０が最Ｌｏｗ変速比まで戻されるので、急勾配の登坂路であっても発進性能を確保することができる（請求項４に対応する効果）。
【００５９】
以上、本発明の実施形態について説明したが、上記実施形態は本発明の適用例の一つを示したものに過ぎず、本発明の技術的範囲を上記実施形態の具体的構成に限定する趣旨ではない。
【００６０】
例えば、上記実施形態では変速ユニット４がＣＶＴ２０と副変速機３０とを備えているが、ＣＶＴ２０のみを備えていてもよい。
【００６１】
また、図２に示した処理及びそのサブルーチンである図３及び図７に示した処理は、車両が停車した時に実行されるが、実行時期はこれに限定されず、車両が停止してから発進するまでの間に実行されればよい。
【符号の説明】
【００６２】
１    エンジン
１０  オイルポンプ
１２  変速機コントローラ（制御手段）
２０  無段変速機
２１  プライマリプーリ
２２  セカンダリプーリ
２３  ベルト
【図１】
0006019051.tif 000002
【図２】
0006019051.tif 000003
【図３】
0006019051.tif 000004
【図４】
0006019051.tif 000005
【図５】
0006019051.tif 000006
【図６】
0006019051.tif 000007
【図７】
0006019051.tif 000008